(57)【特許請求の範囲】
【請求項１】
冷媒を圧縮する圧縮機と、圧縮された冷媒を熱源媒体によって凝縮させる凝縮器と、凝縮された冷媒を蒸発させると共に該冷媒と熱媒とを熱交換する蒸発器と、前記凝縮器に貯留された液相の冷媒を膨張させる膨張弁と、を備えた熱源機の熱媒の流量を推定する熱媒流量推定装置であって、
熱媒の流量の計画値及び前記蒸発器を流れる熱媒の温度の計測値に基づいて、前記蒸発器において冷媒と熱媒との間で交換される熱量を算出し、該熱量から前記蒸発器を流れる冷媒の流量を算出する冷媒流量算出手段と、
前記凝縮器と前記蒸発器の差圧の設定値と該差圧の計測値との比、及び前記冷媒流量算出部によって算出された冷媒の流量に基づいて、前記蒸発器を流れている冷媒の流量を逆算し、逆算した冷媒の流量から前記蒸発器において冷媒と熱媒との間で交換される熱量を逆算し、逆算した熱量及び前記蒸発器を流れる熱媒の温度の計測値に基づいて、熱媒の流量を逆算する熱媒流量逆算手段と、
を備えた熱媒流量推定装置。
【請求項２】
冷媒を圧縮する圧縮機と、
圧縮された冷媒を熱源媒体によって凝縮させる凝縮器と、
凝縮された冷媒を蒸発させると共に該冷媒と熱媒とを熱交換する蒸発器と、
前記凝縮器に貯留された液相の冷媒を膨張させる膨張弁と、
請求項１記載の熱媒流量推定装置と、
を備え、
前記熱媒流量逆算手段によって逆算された熱媒の流量に基づいて、前記熱媒の流量の計画値を更新する更新処理を行い、更新した該計画値に基づいて前記冷媒流量算出手段によって冷媒の流量を算出し、算出した冷媒の流量に応じて前記膨張弁の開度を制御する熱源機。
【請求項３】
前記更新処理は、前記熱媒の流量の計画値と前記熱媒流量逆算手段によって逆算された熱媒の流量との内分点に、前記熱媒の流量の計画値を更新する請求項２記載の熱源機。
【請求項４】
前記更新処理は、前記熱媒の流量の計画値と前記熱媒流量逆算手段によって逆算された熱媒の流量とのずれの状態が、本機に生じている現象の状態と一致している場合に行われる請求項２又は請求項３記載の熱源機。
【請求項５】
前記更新処理は、前記熱源機の成績係数の理論値から求められる前記圧縮機の動力と前記圧縮機の動力の計測値との差が所定値以上の場合に行われる請求項２から請求項４の何れか１項記載の熱源機。
【請求項６】
前記更新処理は、熱媒負荷と前記圧縮機を駆動させる電動機に流れる電流から求められる負荷との差が所定値以上の場合に行われる請求項２から請求項４の何れか１項記載の熱源機。
【請求項７】
前記更新処理は、熱媒が前記蒸発器から流出する温度と前記蒸発器内の飽和温度との差、又は熱源媒体が前記凝縮器から流出する温度と前記凝縮器内の飽和温度との差が、予め定められた範囲内にない場合に行われる請求項２から請求項４の何れか１項記載の熱源機。
【請求項８】
冷媒を圧縮する圧縮機と、圧縮された冷媒を熱源媒体によって凝縮させる凝縮器と、凝縮された冷媒を蒸発させると共に該冷媒と熱媒とを熱交換する蒸発器と、前記凝縮器に貯留された液相の冷媒を膨張させる膨張弁と、を備えた熱源機の熱媒の流量を推定する熱媒流量推定方法であって、
熱媒の流量の計画値及び前記蒸発器を流れる熱媒の温度の計測値に基づいて、前記蒸発器において冷媒と熱媒との間で交換される熱量を算出し、該熱量から前記蒸発器を流れる冷媒の流量を算出する第１工程と、
前記凝縮器と前記蒸発器の差圧の設定値と該差圧の計測値との比、及び前記第１工程によって算出された冷媒の流量に基づいて、前記蒸発器を流れている冷媒の流量を逆算し、逆算した冷媒の流量から前記蒸発器において冷媒と熱媒との間で交換される熱量を逆算し、逆算した熱量及び前記蒸発器を流れる熱媒の温度の計測値に基づいて、熱媒の流量を逆算する第２工程と、
を含む熱媒流量推定方法。
【発明の詳細な説明】
【技術分野】
【０００１】
本発明は、熱媒流量推定装置、熱源機、及び熱媒流量推定方法に関するものである。
【背景技術】
【０００２】
熱源機、例えば冷凍機を設計値で運転させるためには、蒸発器へ流入する熱媒（冷水）の流量の管理が必要であるが、流量を計測する流量計は高価である、部品点数を少なくする等の理由により、熱媒の流量を計測するための流量計が冷凍機に設置されない場合がある。
熱媒の流量を計測するための流量計が設置されていない冷凍機において、例えば膨張弁の開度を制御するための演算に用いる熱媒の流量と実際の熱媒の流量とに乖離があり、演算により算出された膨張弁の開度と真に必要な膨張弁の開度とのずれによって、次のような不具合が生じる可能性がある。
【０００３】
膨張弁の開度が過大である場合は、冷媒の流量が過大となり、冷凍機の動力が過大となる結果、冷凍機の成績係数（ＣＯＰ（Coefficient Of Performance））が低下したり、圧縮機が液相の冷媒を巻き込む、所謂、液バックが生じたり、凝縮機での過冷却が不十分なため凝縮機において冷媒の一部が液相にならずに、気相のままで蒸発器へ流れるガスバイパスが生じる可能性がある。
一方、膨張弁の開度が過少である場合は、凝縮器と蒸発器との圧力差が過大となり、冷凍機の動力が過大となる結果、ＣＯＰが低下する可能性がある。
【０００４】
そこで、流量を計測する技術として、特許文献１には、冷水出口温度、冷水入口温度及び冷水流量の計測値に基づいて冷凍負荷を算出し、冷却水入口温度及び冷凍負荷に基づいて熱交換係数を算出し、センサー群から送られてくる計測値と熱交換係数から冷却水流量を算出し、出力する冷却水流量推定方式が記載されている。
また、特許文献２には、複数の空気調和機に対して、個々の空気調和機の冷温水入口出口間の差圧を計測する複数の差圧センサーと全体の冷温水流量を計測する流量センサーを備え、冷房運転前にバルブ切換え等により一つの差圧センサーのみ動作する流路を作って流量と差圧の関係を求めておき、冷房運転時には該差圧センサーにより冷温水の流量を求める技術が記載されている。
【先行技術文献】
【特許文献】
【０００５】
【特許文献１】特開平７−９１７６４号公報
【特許文献２】特開２００５−１５５９７３号公報
【発明の概要】
【発明が解決しようとする課題】
【０００６】
しかしながら、特許文献１に記載の技術では、冷却水流量を算出するために、冷水流量を計測する流量計を用いている。また、特許文献２に記載の技術では、個々の空気調和機の冷温水の流量を計測するために、全体の冷温水の流量を計測する流量センサー及び複数の差圧センサーを用いている。
上記のように、特許文献１，２に記載の技術では、所定の流体の流量を算出するために、他の流体の流量を計測する流量計を用いたり、他の流体の差圧を計測する差圧計を用いたりしているため、低コストで流体の流量を把握することができない。
【０００７】
本発明は、このような事情に鑑みてなされたものであって、流量計を用いることなく、熱媒の流量を算出することができる熱媒流量推定装置、熱源機、及び熱媒流量推定方法を提供することを目的とする。
【課題を解決するための手段】
【０００８】
上記課題を解決するために、本発明の熱媒流量推定装置、熱源機、及び熱媒流量推定方法は以下の手段を採用する。
【０００９】
すなわち、本発明に係る熱媒流量推定装置は、冷媒を圧縮する圧縮機と、圧縮された冷媒を熱源媒体によって凝縮させる凝縮器と、凝縮された冷媒を蒸発させると共に該冷媒と熱媒とを熱交換する蒸発器と、前記凝縮器に貯留された液相の冷媒を膨張させる膨張弁と、を備えた熱源機の熱媒の流量を推定する熱媒流量推定装置であって、熱媒の流量の計画値及び前記蒸発器を流れる熱媒の温度の計測値に基づいて、前記蒸発器において冷媒と熱媒との間で交換される熱量を算出し、該熱量から前記蒸発器を流れる冷媒の流量を算出する冷媒流量算出手段と、前記凝縮器と前記蒸発器の差圧の設定値と該差圧の計測値との比、及び前記冷媒流量算出部によって算出された冷媒の流量に基づいて、前記蒸発器を流れている冷媒の流量を逆算し、逆算した冷媒の流量から前記蒸発器において冷媒と熱媒との間で交換される熱量を逆算し、逆算した熱量及び前記蒸発器を流れる熱媒の温度の計測値に基づいて、熱媒の流量を逆算する熱媒流量逆算手段と、を備える。
【００１０】
本発明によれば、熱媒流量推定装置は、冷媒を圧縮する圧縮機と、圧縮された冷媒を熱源媒体によって凝縮させる凝縮器と、凝縮された冷媒を蒸発させると共に該冷媒と熱媒とを熱交換する蒸発器と、を備えた熱源機の熱媒の流量を推定する装置である。
【００１１】
熱媒流量推定装置が備える冷媒流量算出手段によって、熱媒の流量の計画値及び蒸発器を流れる熱媒の温度の計測値に基づいて、蒸発器において冷媒と熱媒との間で交換される熱量が算出され、該熱量から蒸発器を流れる冷媒の流量が算出される。
なお、冷媒流量算出手段で算出された冷媒の流量は、膨張弁の開度を制御するための指令値を算出するために用いられる。
【００１２】
そして、熱媒流量逆算手段によって、凝縮器と蒸発器の差圧の設定値と該差圧の計測値との比、及び冷媒流量算出部で算出された冷媒の流量に基づいて、蒸発器を流れている冷媒の流量が逆算される。
さらに、熱媒流量逆算手段によって、上記逆算された冷媒の流量から蒸発器において冷媒と熱媒との間で交換される熱量が逆算され、逆算された熱量及び蒸発器を流れる熱媒の温度の計測値に基づいて、熱媒の流量が逆算される。
【００１３】
従って、本発明は、流量計を用いることなく、熱媒の流量を算出することができる。また、本発明は、逆算により得られた熱媒の流量に基づいた熱媒の流量の計画値を用いることで、膨張弁の開度を制御するための指令値を適正な値とし、冷媒の流量を適正にすることができる。
【００１４】
一方、本発明に係る熱源機は、冷媒を圧縮する圧縮機と、圧縮された冷媒を熱源媒体によって凝縮させる凝縮器と、凝縮された冷媒を蒸発させると共に該冷媒と熱媒とを熱交換する蒸発器と、前記凝縮器に貯留された液相の冷媒を膨張させる膨張弁と、上記記載の熱媒流量推定装置と、を備え、前記熱媒流量逆算手段によって逆算された熱媒の流量に基づいて、前記熱媒の流量の計画値を更新する更新処理を行い、更新した該計画値に基づいて前記冷媒流量算出手段によって冷媒の流量を算出し、算出した冷媒の流量に応じて前記膨張弁の開度を制御する。
【００１５】
本発明によれば、熱源機は、熱媒流量推定装置が備える熱媒流量逆算手段によって逆算された熱媒の流量に応じて、熱媒の流量の計画値を更新する更新処理を行い、更新した該計画値に基づいて冷媒流量算出手段によって冷媒の流量を算出し、算出した冷媒の流量に応じて膨張弁の開度を制御する。
これにより、実際に循環する冷媒の流量を適正な値とすることができ、その結果高いＣＯＰで運転することができる。
【００１６】
また、本発明に係る熱源機は、前記更新処理を、前記熱媒の流量の計画値と前記熱媒流量逆算手段によって逆算された熱媒の流量との内分点に、前記熱媒の流量の計画値を更新してもよい。
【００１７】
本発明によれば、熱媒の流量の計画値と熱媒流量逆算手段によって逆算された熱媒の流量との内分点に、新たな熱媒の流量の計画値が更新されるので、熱媒の流量を徐々に補正することとなり、熱媒の流量が急峻に変化することを防ぐことができる。
【００１８】
また、本発明に係る熱源機は、前記更新処理を、前記熱媒の流量の計画値と前記熱媒流量逆算手段によって逆算された熱媒の流量とのずれの状態が、本機に生じている現象の状態と一致している場合に行ってもよい。
【００１９】
熱媒の流量の計画値と逆算された熱媒の流量とのずれの状態が、熱源機に生じている現象の状態と一致していない場合とは、熱源媒体の流量に異常が生じていることが考えられる。このような場合に、熱媒の流量の計画値を更新しても、熱源機を適正に運転できない。そのため、本発明によれば、熱媒の流量の計画値を更新する更新処理が、熱媒の流量の計画値と逆算された熱媒の流量とのずれの状態が、熱源機に生じている現象の状態と一致している場合に行われるので、熱媒の流量の制御を効果的に行うことができる。
【００２０】
また、本発明に係る熱源機は、前記更新処理を、前記熱源機の成績係数の理論値から求められる前記圧縮機の動力と前記圧縮機の動力の計測値との差が所定値以上の場合に行ってもよい。
【００２１】
熱源機の成績係数の理論値から求められる圧縮機の動力と圧縮機の動力の計測値とにずれが生じる場合は、冷媒の流量が適正でない、すなわち冷媒の流量を算出するために用いる熱媒の流量の計画値が適正でないことが考えられる。そこで、本発明は、熱媒の流量の計画値を更新する更新処理を、熱源機の成績係数の理論値から求められる圧縮機の動力と圧縮機の動力の計測値との差が所定値以上の場合に行うので、より効果的なタイミングで熱媒の流量の更新処理を行うことができる。
【００２２】
また、本発明に係る熱源機は、前記更新処理を、熱媒負荷と前記圧縮機を駆動させる電動機に流れる電流から求められる負荷との差が所定値以上の場合に行ってもよい。
【００２３】
熱媒負荷と圧縮機を駆動させる電動機に流れる電流から求められる負荷とのずれは、冷媒の流量が適正でない、すなわち冷媒の流量を算出するために用いる熱媒の流量の計画値が適正でないために生じることが考えられる。そこで、本発明は、熱媒の流量の計画値を更新する更新処理を、熱媒負荷と圧縮機を駆動させる電動機に流れる電流から求められる負荷との差が所定値以上の場合に行うので、より効果的なタイミングで熱媒の流量の更新処理を行うことができる。
【００２４】
また、本発明に係る熱源機は、前記更新処理を、熱媒が前記蒸発器から流出する温度と前記蒸発器内の飽和温度との差、又は熱源媒体が前記凝縮器から流出する温度と前記凝縮器内の飽和温度との差が、予め定められた範囲内にない場合に行ってもよい。
【００２５】
熱媒が蒸発器から流出する温度と蒸発器内の飽和温度との差、又は熱源媒体が凝縮器から流出する温度と凝縮器内の飽和温度との差が、過大であったり、過少であったりすると、熱源機の運転状態が適正でない、すなわち、冷媒の流量が適正でないと考えられる。そこで、本発明は、熱媒の流量の計画値を更新する更新処理を、熱媒が蒸発器から流出する温度と蒸発器内の飽和温度との差、又は熱源媒体が凝縮器から流出する温度と凝縮器内の飽和温度との差が、予め定められた範囲内にない場合に行うので、より効果的なタイミングで熱媒の流量の更新処理を行うことができる。
【００２６】
さらに、本発明に係る熱媒流量推定方法は、冷媒を圧縮する圧縮機と、圧縮された冷媒を熱源媒体によって凝縮させる凝縮器と、凝縮された冷媒を蒸発させると共に該冷媒と熱媒とを熱交換する蒸発器と、前記凝縮器に貯留された液相の冷媒を膨張させる膨張弁と、を備えた熱源機の熱媒の流量を推定する熱媒流量推定方法であって、熱媒の流量の計画値及び前記蒸発器を流れる熱媒の温度の計測値に基づいて、前記蒸発器において冷媒と熱媒との間で交換される熱量を算出し、該熱量から前記蒸発器を流れる冷媒の流量を算出する第１工程と、前記凝縮器と前記蒸発器の差圧の設定値と該差圧の計測値との比、及び前記第１工程によって算出された冷媒の流量に基づいて、前記蒸発器を流れている冷媒の流量を逆算し、逆算した冷媒の流量から前記蒸発器において冷媒と熱媒との間で交換される熱量を逆算し、逆算した熱量及び前記蒸発器を流れる熱媒の温度の計測値に基づいて、熱媒の流量を逆算する第２工程と、を含む。
【発明の効果】
【００２７】
本発明によれば、流量計を用いることなく、熱媒の流量を算出することができる、という優れた効果を有する。
【図面の簡単な説明】
【００２８】
【図１】本発明の第１実施形態に係るターボ冷凍機の構成図である。
【図２】本発明の第１実施形態に係る冷水流量推算部の構成を示す機能ブロック図である。
【図３】本発明の第１実施形態に係る蒸発器冷媒流量を算出するために用いるエンタルピの説明に要する図である。
【図４】本発明の第１実施形態に係る冷凍機制御プログラムの処理の流れを示すフローチャートである。
【図５】本発明の第３実施形態に係る冷水出口温度と蒸発器飽和温度との差と負荷割合との関係を示したグラフである。
【図６】本発明の第３実施形態に係る冷却水出口温度と凝縮器飽和温度との差と負荷割合との関係を示したグラフである。
【図７】エコノマイザを備えた冷凍機に係る蒸発器冷媒流量を算出するために用いるエンタルピの説明に要する図である。
【発明を実施するための形態】
【００２９】
以下に、本発明に係る熱媒流量推定装置、熱源機、及び熱媒流量推定方法の一実施形態について、図面を参照して説明する。
【００３０】
〔第１実施形態〕
以下、本発明の第１実施形態について説明する。
【００３１】
図１に、本第１実施形態に係る熱源機の一例であるターボ冷凍機１０の構成を示す。
ターボ冷凍機１０は、冷媒を圧縮するターボ圧縮機１２と、ターボ圧縮機１２によって圧縮された高温高圧のガス冷媒を熱源媒体（冷却水）によって凝縮する凝縮器１４と、凝縮器１４にて凝縮された液相の冷媒（液冷媒）に対して過冷却を与えるサブクーラ１６と、サブクーラ１６からの液冷媒を膨張させる高圧膨張弁１８と、高圧膨張弁１８に接続されるとともにターボ圧縮機１２の中間段及び低圧膨張弁２０に接続される中間冷却器２２と、低圧膨張弁２０によって膨張させられた液冷媒を蒸発させると共に該冷媒と熱媒（冷水）とを熱交換する蒸発器２４を備えている。
【００３２】
ターボ圧縮機１２は、遠心式の２段圧縮機であり、不図示のインバータにより回転数制御された電動モータ２８によって駆動されている。ターボ圧縮機１２の冷媒吸入口には、吸入冷媒流量を制御する圧縮機入口ベーン（ＩＧＶ）３２が設けられており、ターボ冷凍機１０の容量制御が可能となっている。
【００３３】
凝縮器１４には、凝縮器１４内の圧力（以下、「凝縮器圧力」という。）を計測するための凝縮器圧力センサー５０が設けられている。
【００３４】
サブクーラ１６は、凝縮器１４の冷媒流れ下流側に、凝縮された冷媒に対して過冷却を与えるように設けられている。サブクーラ１６の冷媒流れ下流側直後には、過冷却後の冷媒温度を計測する冷媒温度センサー５２が設けられている。
【００３５】
凝縮器１４及びサブクーラ１６には、これらを冷却するための冷却伝熱管３４が挿通されている。冷却伝熱管３４内の凝縮器１４から流出する冷却水の温度（以下、「冷却水出口温度」という。）は冷却水出口温度センサー５４によって計測される。また、冷却伝熱管３４内の凝縮器１４へ流入する冷却水の温度（以下、「冷却水入口温度」という。）はは冷却水入口温度センサー５６により計測される。なお、冷却水は、不図示の冷却塔において外部へと排熱された後に、再び凝縮器１４及びサブクーラ１６へと導かれる。
【００３６】
中間冷却器２２には、中間圧力を計測するための中間圧力センサー５８が設けられている。
【００３７】
また、熱交換器である蒸発器２４には、蒸発器２４内の圧力（以下、「蒸発器圧力」という。）を計測するための蒸発器圧力センサー６０が設けられている。蒸発器２４において吸熱されることによって定格温度（例えば７℃）の冷媒が得られる。蒸発器２４には、外部負荷へ供給される冷水を冷却するための冷水伝熱管３６が挿通されている。なお、冷水伝熱管３６内の蒸発器２４から流出する冷水の温度（以下、「冷水出口温度」という。）は冷水出口温度センサー６２により計測され、冷水伝熱管３６内の蒸発器２４へ流入する冷水の温度（以下、「冷水入口温度」という。）は冷水入口温度センサー６４により計測される。
【００３８】
また、凝縮器１４の気相部と蒸発器２４の気相部との間には、ホットガスバイパス管３８が設けられている。そして、ホットガスバイパス管３８には、ホットガスバイパス管３８内を流れる冷媒の流量を制御するためのホットガスバイパス弁４０が設けられている。ホットガスバイパス弁４０によってホットガスバイパス流量を調整することにより、圧縮機入口ベーン３２では制御が十分でない非常に小さな領域の容量制御が可能となっている。
【００３９】
また、ターボ冷凍機１０は、制御装置３０を備えている。
制御装置３０は、ＣＰＵ（Central Processing Unit）、ＲＡＭ（Random Access Memory）、ＲＯＭ（Read Only Memory）、及び外部インタフェース等を備え、各々システムバスによって接続され、各種情報の送受信が可能とされている。
【００４０】
制御装置３０は、外部インタフェースを介して各温度センサーや圧力センサー等で計測された信号が入力され、該信号等に基づいてＣＰＵでターボ圧縮機１２や各種弁を制御するための制御信号を生成する。そして、制御装置３０は、生成した制御信号をターボ圧縮機１２や各種弁へ外部インタフェースを介して出力することによって、ターボ冷凍機１０全体の制御を実行する。
【００４１】
ここで、本第１実施形態に係るターボ冷凍機１０は、流量を計測する流量計は高価である、部品点数を少なくする等の理由により、冷水や冷却水の流量を計測する流量センサーを備えていない。しかしながら、冷凍機を設計値で運転させるためには、冷水の流量の管理が必要である。
【００４２】
そこで、本第１実施形態に係る制御装置３０は、冷水の流量を適正な値とするための冷水流量推算処理を行う。
【００４３】
図２は、本第１実施形態に係る制御装置３０で行われる冷水流量推算処理を行う冷水流量推算部７０の構成を示す機能ブロック図である。
【００４４】
冷水流量推算部７０は、差圧設定部７２、要求冷媒循環流量算出部７４、膨張弁開度指令算出部７６、及び冷水循環流量逆算部７８を備える。
【００４５】
差圧設定部７２は、冷却水の温度に応じて設定される凝縮器圧力設定値と冷水の温度に応じて設定される蒸発器圧力設定値との差圧を算出する。
【００４６】
差圧設定部７２は、凝縮器圧力設定値を算出するために、凝縮器飽和温度Ｔｃ’[℃]を算出する。
【数１】
0005554277.tif 000002
ここで、Ｔcliは冷却水入口温度[℃]であり、Ｑｅは冷水負荷[kW]であり、Ｑstdは定格冷凍能力[kW]であり、ΔＴｃｌは冷却水定格温度差[℃]であり、ΔＴｃは凝縮器定格温度差[℃]である。冷水負荷Ｑｅは、冷水入口温度と冷水出口温度との差、及びターボ冷凍機１０の制御演算に使用する冷水の流量の計画値（以下、「冷水流量計画値」という。）に基づいて算出される。
【００４７】
また、Ｐ（Ｔ）は、飽和温度Ｔ（℃）の場合の飽和圧力[MPaabs]であり、差圧設定部７２は、凝縮器圧力設定値Ｐｃ’[MPaabs]を（１）式で算出した凝縮器飽和温度Ｔｃ’を用いて、下記（２）式から算出する。
【数２】
0005554277.tif 000003
【００４８】
また、差圧設定部７２は、蒸発器圧力設定値を算出するために蒸発器飽和温度Ｔｅ’[℃]を算出する。
【数３】
0005554277.tif 000004
ここで、Ｔsetは冷水出口温度設定値[℃]であり、ΔＴｅは蒸発器定格温度差[℃]である。
【００４９】
そして、差圧設定部７２は、蒸発器圧力設定値Ｐｅ’[MPaabs]を（３）式で算出した蒸発器飽和温度Ｔｅ’を用いて下記（４）式から算出する。
【数４】
0005554277.tif 000005
【００５０】
差圧設定部７２は、異常のようにして算出した凝縮器圧力設定値と蒸発器圧力設定値との差（Ｐｃ’−Ｐｅ’）を差圧設定値として冷水循環流量逆算部７８へ出力する。
【００５１】
要求冷媒循環流量算出部７４は、冷水流量計画値及び蒸発器２４を流れる冷水の温度の計測値に基づいて、蒸発器２４において冷媒と冷水との間で交換される熱量（以下、「蒸発器交換熱量」という。）を算出し、蒸発器交換熱量に基づいて蒸発器２４を流れる冷媒の流量（以下、「蒸発器冷媒流量」という。）を算出する。
【００５２】
具体的には、まず、要求冷媒循環流量算出部７４は、制御演算に使用する冷水流量計画値Ｇｅｗ［m3/sec]を用いて、蒸発器交換熱量Ｑｅを算出する。
【数５】
0005554277.tif 000006
ここで、ｃｐは水の比熱[kJ/(kg・℃)]であり、ρは水の密度[kg/m3]であり、Ｔwiは冷水入口温度センサー６４で計測された冷水入口温度[℃]であり、Ｔwoは冷水出口温度センサー６２で計測された冷水出口温度[℃]である。
【００５３】
次に、要求冷媒循環流量算出部７４は、（５）式で算出した蒸発器交換熱量Ｑｅを用いて、蒸発器冷媒流量Ｇｅを算出する。
【数６】
0005554277.tif 000007
ここで、ｈ１は蒸発器２４の出口におけるエンタルピであり、ｈ５は蒸発器２４の入口におけるエンタルピであり、エンタルピｈ１，ｈ５は、冷媒の圧力及び温度から算出される。
図３（Ａ）は、中間冷却器２２を備えるターボ冷凍機１０の冷媒回路図であり、図３（Ａ）における「１」に相当する蒸発器２４の出口におけるエンタルピｈ１は、図３（Ｂ）に示すサイクル線図（ｐ−ｈ線図）における「１」である。一方、図３（Ａ）における「５」に相当する蒸発器２４の入口におけるエンタルピｈ５は、図３（Ｂ）に示すサイクル線図における「５」である。
【００５４】
膨張弁開度指令算出部７６は、要求冷媒循環流量算出部７４で算出した蒸発器冷媒流量Ｇｅに応じた膨張弁のＣｖ値を算出する。
【数７】
0005554277.tif 000008
ここで、Ｐｃは凝縮器圧力センサー５０で計測された凝縮器圧力であり、Ｐｅは蒸発器圧力センサー６０で計測された蒸発器圧力である。
【００５５】
（７）式によって算出されたＣｖ値は、高圧膨張弁１８及び低圧膨張弁２０の開度を制御するための指令値（以下、「膨張弁開度指令値」という。）を算出するために用いられる。なお、膨張弁開度指令値は、Ｃｖ値の大きさに応じて大きい値とされる。なお、以下の説明において、高圧膨張弁１８及び低圧膨張弁２０を区別しない場合は、単に膨張弁という。
【００５６】
冷水循環流量逆算部７８は、差圧設定部７２で算出された差圧設定値、要求冷媒循環流量算出部７４によって算出された蒸発器冷媒流量、各種センサーによる計測結果に基づいて、冷水の流量を逆算する。
【００５７】
具体的には、まず、冷水循環流量逆算部７８は、差圧設定部７２で算出された差圧設定値と、凝縮器圧力と蒸発器圧力の差圧の計測値（以下、「差圧計測値」という。）との比、及び要求冷媒循環流量算出部７４によって算出された蒸発器冷媒流量Ｇeに基づいて、蒸発器２４を流れている冷水の流量である蒸発器冷媒流量Ｇe’を逆算する。
【数８】
0005554277.tif 000009
【００５８】
次に、冷水循環流量逆算部７８は、（８）式で逆算した蒸発器冷媒流量Ｇｅ’から蒸発器２４において冷媒と冷水との間で交換される蒸発器交換熱量Ｑｅ’を逆算する。
【数９】
0005554277.tif 000010
【００５９】
そして、冷水循環流量逆算部７８は、（９）式で逆算した蒸発器交換熱量Ｑｅ’及び蒸発器２４を流れる冷水の温度の計測値に基づいて、冷水流量Ｇew’［m3/sec]を逆算する。
【数１０】
0005554277.tif 000011
【００６０】
すなわち、（８）式からも分かるように、差圧設定値と差圧計測値とが一致すると、冷水流量計画値と逆算により求められた冷水流量の推算値（以下、「冷水流量推算値」という。）とが一致することとなり、冷水流量計画値は、適正であることが分かる。
【００６１】
一方、差圧設定値と差圧計測値とが異なっていると、冷水流量計画値と冷水流量推算値とが異なり、冷水流量計画値が適正でないことが分かる。
このような場合、制御装置３０は、差圧設定値と差圧計測値とを一致させるために、冷媒の流量を適正な値とするために、膨張弁開度指令値を算出するために用いる冷水流量計画値を更新（変更）する更新処理を行う。
【００６２】
図４は、冷水流量計画値を更新する更新処理を含む冷凍機制御プログラムの処理の流れを示すフローチャートであり、冷凍機制御プログラムは制御装置３０が備える不図示の記憶手段の所定領域に予め記憶されている。なお、本プログラムは、制御装置３０が備えるＣＰＵによって実行され、ターボ冷凍機１０の運転の開始が指示されると共に開始し、ターボ冷凍機１０の運転の終了が指示されると共に終了する。
【００６３】
まず、ステップ１００では、ターボ圧縮機１２の運転を開始する。
【００６４】
次のステップ１０２では、所定時間経過するまで待ち状態となり、所定時間経過するとステップ１０４へ移行する。なお、所定時間とは、冷媒の循環が落ち着くまでの時間であり、例えば３分である。
【００６５】
ステップ１０４では、ターボ冷凍機１０の自動制御を開始する。なお、自動制御では、各種演算に用いる温度及び圧力が一定として扱えるように、変動がある温度及び圧力に対しては平均値を用いて各種演算を行う。
【００６６】
次のステップ１０６では、冷却水入口温度センサー５６で計測された冷却水入口温度の変動幅が所定幅内であるか否かを判定し、肯定判定となった場合は、ステップ１０８へ移行し、否定判定となった場合は、ステップ１１２へ移行する。なお、所定幅とは、例えば±２℃である。
【００６７】
ステップ１０８では、冷却水出口温度センサー５４で計測された冷却水出口温度の変動幅が所定幅内であるか否かを判定し、肯定判定となった場合は、ステップ１１０へ移行し、否定判定となった場合は、ステップ１１２へ移行する。なお、所定幅とは、例えば±２℃である。
【００６８】
ステップ１１０では、冷水流量計画値更新条件を満たしたか否かを判定し、肯定判定となった場合は、ステップ１１４へ移行し、否定判定となった場合は、ステップ１０６へ戻る。
なお、本第１実施形態に係る冷水流量計画値更新条件を満たす場合とは、ターボ冷凍機１０の成績係数の理論値（理論ＣＯＰ）から求められるターボ圧縮機２２の動力とターボ圧縮機２２の動力の計測値との差が所定値（例えば５％）以上となった場合である。理論ＣＯＰから求められるターボ圧縮機２２の動力とターボ圧縮機２２の動力の計測値とにずれが生じる場合は、冷媒の流量が適正でない、すなわち冷媒の流量を算出するために用いる冷水流量計画値が適正でないことが考えられるためである。
【００６９】
そこで、ターボ冷凍機１０の理論ＣＯＰ（ＣＯＰcal)を用いた下記（１１）式を用いてターボ圧縮機２２の動力Ｗが算出される。
【数１１】
0005554277.tif 000012
一方、ターボ圧縮機２２の動力の計測値は、ターボ圧縮機２２を駆動させるための電動モータ２８に供給する電力から算出される。
【００７０】
なお、理論ＣＯＰは、ターボ冷凍機１０の機器特性に基づいて導出され、基準運転点として設定された所定の冷却水入口温度における所定の負荷率に対する現在の冷却水入口温度における現在の負荷率を相対的に表わした相対負荷率Ｑｆｒを算定するための第１演算式、相対負荷率Ｑｆｒと補正係数Ｃｆとの関係を表した第２演算式、及び逆カルノーサイクルから導出されたＣＯＰ算定式を上記補正係数Ｃｆで補正する第３演算式で算出される。
【００７１】
より具体的には、まず、逆カルノーサイクルから導出されるＣＯＰ算定式は、例えば、以下の（Ａ）式で表わされる。
ＣＯＰcarnot＝（ＴＬＯ+２７３．１５）／（ＴＨＯ−ＴＬＯ）      （Ａ）
上記（Ａ）式において、ＴＬＯは冷水出口温度[℃]、ＴＨＯ冷却水出口温度[℃]である。
【００７２】
そして、第１演算式、第２演算式、及び第３演算式は、以下に示される。
【００７３】
第１演算式：Ｑｒ＝０．１×（Ｈａｄ／１９．４）1/2      （Ｂ）
：Ｑｆｒ＝Ｑｆ／Ｑｒ      （Ｃ）
【００７４】
第２演算式：Ｃｆ＝Ｆｆ(Ｑｆr）      （Ｄ）
【００７５】
第３演算式：ＣＯＰcal＝{（ＴＬ０＋２７３．１５）／（ＴＨＯ−ＴＬＯ）}／Ｃｆ      （Ｅ）
【００７６】
（Ｃ）式に示されるように、相対負荷率Ｑｆｒは、実際の負荷率Ｑｆ、及びターボ圧縮機２２の機器特性である（Ｂ）式に示される相対設計風量係数Ｑｒを用いて導出される。また、（Ｂ）式における圧縮機断熱ヘッドＨａｄは、熱力学の特性から以下の（Ｆ）式で与えられる。
Had=(-2.7254×10-4TLO2-9.0244×10-3TLO+47.941)×{log10Pc-log10Pe}×1000/9.8067  （Ｆ）
（Ｆ）式における、Ｐｃは凝縮器の飽和圧力[MPa]、Ｐｅは蒸発器の飽和圧力[MPa]、Ｔｃは凝縮器の飽和温度[℃]、Ｔｅは蒸発器の飽和温度[℃]である。
【００７７】
ステップ１１２では、冷却塔周りの制御異常に関するアラームを出力し、ステップ１０６へ移行する。なお、本アラームが出力された場合、ターボ冷凍機１０のオペレータは、該アラームが出力された場合における対応を行い、冷却塔周りの制御異常を解消させる。
【００７８】
ステップ１１４では、冷水流量推算部７０によって冷水流量を推算する。
【００７９】
次のステップ１１６では、冷水流量計画値と冷水流量推算値との差が所定値内であるか否かを判定し、肯定判定となった場合は、ステップ１２０へ移行し、否定判定となった場合は、ステップ１１８へ移行する。
【００８０】
なお、本第１実施形態では、冷水流量計画値Ｇewと冷水流量推算値Ｇew’との差が所定値内であるか否かは、例えば下記（１２）式を用いて判定される。
【数１２】
0005554277.tif 000013
ここで、ｋは、予め定められた定数であり、例えば０．２である。
すなわち、ステップ１１６では、（１２）式を満たす場合、肯定判定となりステップ１２０へ移行し、（１２）式を満たさない場合、否定判定と判定なりステップ１１８へ移行する。
【００８１】
ステップ１１８では、冷水流量計画値の更新処理による冷水流量の適正化はできないほど、冷水流量計画値と冷水流量推算値とがずれているため、冷水流量の調整異常に関するアラームを出力し、ステップ１１６へ戻る。なお、本アラームが出力された場合、ターボ冷凍機１０のオペレータは、該アラームが出力された場合における対応を行い、冷水流量の調整異常を解消させる。
【００８２】
ステップ１２０では、冷水流量計画値と冷水流量推定値とのずれの状態が、ターボ冷凍機１０に生じている現象の状態と一致しているか否かを判定し、肯定判定となった場合は、ステップ１２２へ移行し、否定判定となった場合は、ステップ１２４へ移行する。
なお、冷水流量計画値Ｇewと冷水流量推定値Ｇew’とのずれの状態がターボ冷凍機１０に生じている現象の状態と一致している場合とは、Ｇew’＞Ｇewでは冷水出口温度と蒸発器飽和温度との差が定格値よりも大きくなっている場合であり、Ｇew’＜ＧewではＣＯＰの理論値に対してＣＯＰの計測値が所定値（例えば１０％）以上小さい場合である。
【００８３】
ステップ１２２では、冷水流量計画値を更新し、ステップ１０６へ戻る。なお、本第１実施形態では、冷水流量計画値と冷水流量推算値との内分点に冷水流量計画値を更新することによって、冷水流量計画値を更新する。
より具体的には、下記（１３）式を用いて冷水流量計画値Ｇewを算出し、該算出した冷水流量計画値Ｇewに更新する。
【数１３】
0005554277.tif 000014
なお、ｋは予め定められた定数である。
【００８４】
そして、要求冷媒循環流量算出部７４は、ステップ１２２によって更新された冷水流量計画値を用いて蒸発器冷媒流量を算出する。膨張弁開度指令算出部７６は、算出された蒸発器冷媒流量を用いてＣｖ値を算出し、該Ｃｖ値に応じた新たな膨張弁開度指令値を算出する。膨張弁は、新たな膨張弁開度指令値が入力されると、該膨張弁開度指令値に応じて弁の開度を制御し、更新された冷水流量計画値に応じた流量の冷媒を蒸発器２４へ流すこととなる。
【００８５】
ステップ１２４では、冷水流量計画値と冷水流量推定値とのずれの原因が、冷却水流量の調整異常にあると考えられるため、冷却水流量の調整異常に関するアラームを出力し、ステップ１０６へ戻る。なお、本アラームが出力された場合、ターボ冷凍機１０のオペレータは、該アラームが出力された場合における対応を行い、冷却水流量の調整異常を解消させる。
【００８６】
以上説明したように、本第１実施形態に係る冷水流量推算部７０は、冷水流量計画値Ｇew及び蒸発器２４を流れる冷水の温度の計測値に基づいて、蒸発器２４における蒸発器交換熱量Ｑｅを算出し、蒸発器交換熱量Ｑｅに基づいて蒸発器冷媒流量Ｇｅを算出する。そして、冷水流量推算部７０は、差圧設定値と差圧計測値との比、及び算出した蒸発器冷媒流量Ｇｅに基づいて蒸発器冷媒流量Ｇｅ’を逆算し、逆算した蒸発器冷媒流量Ｇｅ’から蒸発器交換熱量Ｑｅ’を逆算し、逆算した蒸発器交換熱量Ｑｅ’及び蒸発器２４を流れる冷水の温度の計測値に基づいて、冷水流量推算値Ｇew’を逆算する。
従って、本第１実施形態に係る制御装置３０は、流量計を用いることなく、冷水の流量を算出することができる。
【００８７】
また、本第１実施形態に係るターボ冷凍機１０は、逆算された冷水流量推算値に応じて、冷水流量計画値を更新する更新処理を行い、更新した冷水流量計画値に基づいて冷媒の流量を算出し、算出した冷媒の流量に応じて膨張弁の開度を制御する。
これにより、本第１実施形態に係るターボ冷凍機１０は、実際に循環する冷媒の流量を適正な値とすることができ、その結果高いＣＯＰで運転することができる。
【００８８】
また、本第１実施形態に係るターボ冷凍機１０は、冷水流量計画値と逆算された冷水流量推算値との内分点に、新たな冷水流量計画値を更新するので、冷水流量を徐々に補正することとなり、冷水流量が急峻に変化することを防ぐことができる。
【００８９】
また、本第１実施形態に係るターボ冷凍機１０は、冷水流量計画値を更新する更新処理を、冷水流量計画値と逆算された冷水流量推算値とのずれの状態が、ターボ冷凍機１０に生じている現象の状態と一致している場合に行うので、冷水流量の制御を効果的に行うことができる。
【００９０】
また、本第１実施形態に係るターボ冷凍機１０は、冷水流量計画値を更新する更新処理を、ＣＯＰの理論値から求められるターボ圧縮機２２の動力とターボ圧縮機２２の動力の計測値との差が所定値以上の場合に行うので、より効果的なタイミングで冷水流量計画値の更新処理を行うことができる。
【００９１】
〔第２実施形態〕
以下、本発明の第２実施形態について説明する。
【００９２】
なお、本第２実施形態に係るターボ冷凍機１０の構成は、図１，２に示す第１実施形態に係るターボ冷凍機１０の構成と同様であるので説明を省略する。また、本第２実施形態に係る冷凍機制御プログラムの処理の流れは、図４に示す第１実施形態に係る冷凍機制御プログラムの処理の流れと同様である。
【００９３】
しかし、本第２実施形態に係る冷水流量計画値変更条件は、第１実施形態に係る冷水流量計画値変更条件と異なる。
本第２実施形態に係る冷水流量計画値変更条件は、冷水負荷とターボ圧縮機２２を駆動させる電動モータ２８に流れる電流から求められる負荷との差が所定値（例えば５％）以上の場合とする。
【００９４】
冷水負荷と電動モータ２８に流れる電流から求められる負荷とのずれは、冷媒の流量が適正でない、すなわち冷媒の流量を算出するために用いる冷水流量計画値が適正でないために生じることが考えられる。
【００９５】
電動モータ２８に流れる電流から求められる負荷とは、電動モータ２８の定格電流に対する計測された電流の割り合いに、定格負荷を積算することによって算出される。
【００９６】
このように、本第２実施形態に係るターボ冷凍機１０は、冷水流量計画値を更新する更新処理を、冷水負荷とターボ圧縮機２２を駆動させる電動モータ２８に流れる電流から求められる負荷との差が所定値以上の場合に行うので、より効果的なタイミングで冷水流量計画値の更新処理を行うことができる。
【００９７】
〔第３実施形態〕
以下、本発明の第３実施形態について説明する。
【００９８】
なお、本第３実施形態に係るターボ冷凍機１０の構成は、図１，２に示す第１実施形態に係るターボ冷凍機１０の構成と同様であるので説明を省略する。また、本第３実施形態に係る冷凍機制御プログラムの処理の流れは、図４に示す第１実施形態に係る冷凍機制御プログラムの処理の流れと同様である。
【００９９】
しかし、本第３実施形態に係る冷水流量計画値変更条件は、第１実施形態に係る冷水流量計画値変更条件と異なる。
本第２実施形態に係る冷水流量計画値変更条件は、冷水出口温度と蒸発器飽和温度との差、又は冷却水出口温度と凝縮器飽和温度との差が、予め定められた範囲内にない場合とする。
【０１００】
冷水出口温度と蒸発器飽和温度との差又は冷却水出口温度と凝縮器飽和温度との差が、過大であったり、過少であったりすると、ターボ冷凍機１０の運転状態が適正でない、すなわち、冷媒の流量が適正でないと考えられる。
【０１０１】
図５は、冷水出口温度と蒸発器飽和温度との差と負荷割合との関係を示したグラフである。なお、冷水出口温度は、計測値又は設定値とする。負荷割合とは、定格負荷に対する冷水負荷の割り合いであり、１００％のときが定格負荷である。
そして、本第３実施形態では、冷水出口温度と蒸発器飽和温度との差が設定値ΔＴe以上となった場合に、冷水流量計画値変更条件を満たしたと判定し、冷水流量計画値の更新処理を行う。また、設定値ΔＴeは、負荷割合が大きいほど大きくされている。
【０１０２】
なお、冷水出口温度と蒸発器飽和温度との差が小さすぎるか否かの判定を行ってもよい、すなわち設定値ΔＴeに下限値を設けてもよいが、このような場合は発生しがたいため、本第３実施形態では、冷水出口温度と蒸発器飽和温度との差の設定値ΔＴeとして上限値のみを設定する。
【０１０３】
図６は、冷却水出口温度と凝縮器飽和温度との差と負荷割合との関係を示したグラフである。なお、冷却水出口温度は、計測値又は設定値とする。
そして、本第３実施形態では、冷却水出口温度と凝縮器飽和温度との差が設定値ΔＴc以上となった場合に、冷水流量計画値変更条件を満たしたと判定し、冷水流量計画値の更新処理を行う。また、設定値ΔＴcは、負荷割合が大きいほど大きくされている。
【０１０４】
なお、冷却水出口温度と凝縮器飽和温度との差が小さすぎるか否かの判定を行ってもよい、すなわち設定値ΔＴcに下限値を設けてもよいが、このような場合は発生しがたいため、本第３実施形態では、冷却水出口温度と凝縮器飽和温度との差の設定値ΔＴcとして上限値のみを設定する。
【０１０５】
このように、本第２実施形態に係るターボ冷凍機１０は、冷水出口温度と蒸発器飽和温度との差、又は冷却水出口温度と凝縮器飽和温度との差が、予め定められた範囲内にない場合に行うので、より効果的なタイミングで冷水流量計画値の更新処理を行うことができる。
【０１０６】
以上、本発明を、上記各実施形態を用いて説明したが、本発明の技術的範囲は上記実施形態に記載の範囲には限定されない。発明の要旨を逸脱しない範囲で上記各実施形態に多様な変更または改良を加えることができ、該変更または改良を加えた形態も本発明の技術的範囲に含まれる。
【０１０７】
例えば、上記各実施形態では、ターボ冷凍機１０が中間冷却器２２を備える形態について説明したが、本発明は、これに限定されるものではなく、ターボ冷凍機１０が中間冷却器を備えない形態や、エコノマイザを備える形態としてもよい。
【０１０８】
ターボ冷凍機１０がエコノマイザを備える形態において、上述した（６）式によって蒸発器冷媒流量Ｇｅを算出するために用いるエンタルピｈ１，ｈ５を図７に示す。
図７（Ａ）は、エコノマイザを備えるターボ冷凍機１０の冷媒回路図であり、図７（Ａ）における「１」に相当する蒸発器２４の出口におけるエンタルピｈ１は、図７（Ｂ）に示すサイクル線図（ｐ−ｈ線図）における「１」である。一方、図７（Ａ）における「５」に相当する蒸発器２４の入口におけるエンタルピｈ５は、図７（Ｂ）に示すサイクル線図における「５」である。
【０１０９】
また、上記各実施形態では、凝縮器１４に挿通される冷却伝熱管３４内を流れる熱源媒体を冷却水とする形態について説明したが、本発明は、これに限定されるものではなく、熱源媒体を気体（外気）とし、凝縮器を空気熱交換器とする形態としてもよい。
【０１１０】
また、上記各実施形態では、冷凍運転を行うターボ冷凍機１０に本発明を適用した場合について説明したが、これに限らず、本発明をヒートポンプ運転も可能なヒートポンプ式ターボ冷凍機に適用してもよい。
【０１１１】
また、上記各実施形態では、ターボ冷凍機１０を、遠心圧縮機を用いる形態について説明したが、本発明はこれに限定されるものではなく、他の圧縮形式であっても適用することができ、例えばスクリュー圧縮機を用いたスクリューヒートポンプであってもよい。
【０１１２】
また、上記各実施形態で説明した冷凍機制御プログラムの処理の流れも一例であり、本発明の主旨を逸脱しない範囲内において不要なステップを削除したり、新たなステップを追加したり、処理順序を入れ替えたりしてもよい。
【符号の説明】
【０１１３】
１０    ターボ冷凍機
１２    ターボ圧縮機
１４    凝縮器
２４    蒸発器
２８    電動モータ
３０    制御装置
７２    差圧設定部
７４    要求冷媒循環流量算出部
７８    冷水循環流量逆算部
【図１】
0005554277.tif 000015
【図２】
0005554277.tif 000016
【図３】
0005554277.tif 000017
【図４】
0005554277.tif 000018
【図５】
0005554277.tif 000019
【図６】
0005554277.tif 000020
【図７】
0005554277.tif 000021